【事件の表示】
　特許第３１８１０７９号「弾球遊技機の可変入賞球装置」の請求項１に係る特許に対する特許異議の申立てについて、次のとおり決定する。
【結　論】
　訂正を認める。
　特許第３１８１０７９号の請求項１に係る特許を維持する。
【理　由】
１．手続きの経緯
　特許３１８１０７９号の請求項１に係る発明は、平成３年９月３０日に特許出願され、平成１３年４月２０日に特許の設定登録がなされた。
　これに対して、特許異議申立人本間幹雄より特許異議の申立てがなされ、取消理由通知がなされ、その指定期間内である平成１４年５月７日に訂正請求がなされたものである。
　
２．訂正の適否の判断
（１）訂正の内容
　特許権者が求めている訂正の内容は、以下のａ〜ｄのとおりである。
（ｉ）特許請求の範囲の訂正
ａ．請求項１を下記のとおりに訂正。
「【請求項１】遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御されると共にその上面が傾斜状に形成されることにより前記特定入賞領域方向に向かって下り傾斜する状態と前記特定入賞領域方向と反対の方向に向かって下り傾斜する状態となることが可能な回転体を設けたことを特徴とする弾球遊技機の可変入賞球装置。」
（ｉｉ）発明の詳細な説明の訂正
ｂ．段落【０００４】を下記のとおりに訂正。
「【０００４】【課題を解決するための手段】上記した目的を達成するために、本発明においては、遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御されると共にその上面が傾斜状に形成されることにより前記特定入賞領域方向に向かって下り傾斜する状態と前記特定入賞領域方向と反対の方向に向かって下り傾斜する状態となることが可能な回転体を設けたことを特徴とするものである。」
ｃ．段落【００２４】を削除。
ｄ．段落【００５１】を下記のとおりに訂正。
「【００５１】【発明の効果】以上、説明したところから明らかなように、本発明においては、その回転方向により特定入賞領域への入賞玉の誘導を有利にする方向と不利にする方向とに回転制御されると共にその上面が傾斜状に形成されることにより前記特定入賞領域方向に向かって下り傾斜する状態と前記特定入賞領域方向と反対の方向に向かって下り傾斜する状態となることが可能な回転体を入賞空間内に設けたので、回転体により入賞玉が複数の方向に移動して従来にない入賞玉の流路変更を楽しむことができ、また、変更される方向によって特定入賞領域に誘導される可能性が異なるため、入賞玉の流路変更に遊技者の注意を集中させることができる。」
（２）訂正の目的の適否、新規事項の有無及び拡張・変更の存否
　（ｉ）上記訂正事項ａについて検討すると、
「その上面が傾斜状に形成される回転体」を、「その上面が傾斜状に形成されることにより前記特定入賞領域方向に向かって下り傾斜する状態と前記特定入賞領域方向と反対の方向に向かって下り傾斜する状態となることが可能な回転体」と回転体の構成を限定するものであり、特許請求の範囲を減縮を目的とするものである。
（ｉｉ）上記訂正事項ｂおよびｄは、上記特許請求の範囲の訂正に整合させるために発明の詳細な説明の欄を訂正するものであり、明りょうでない記載の釈明を目的とするものである。
（ｉｉｉ）上記訂正事項ｃは、上記特許請求の範囲の訂正に整合させるために発明の詳細な説明の欄を削除するものであり、明りょうでない記載の釈明を目的とするものである。
　また、上記訂正事項ａ〜ｄは新規事項を追加するものではなく、実質上特許請求の範囲を拡張し、又は変更するものではない。
　以上のとおりであるから、上記訂正は、特許法等の一部を改正する法律（平成６年法第１１６号）附則第６条１項の規定によりなお従前の例によるとされる、特許法第１２０条の４第３項において準用する平成６年法律１１６号による改正前の特許法第１２６条第１項ただし書、第２項及び第３項の規定に適合するので、当該訂正を認める。
　
３．特許異議の申立てについての判断
（１）上記２．で示したように訂正が認められるから、本件請求項１に係る発明（以下、「本件発明」という。）は、上記訂正に係る訂正明細書の特許請求の範囲の請求項１に記載された事項により特定されるとおりのものである。（上記２．（１）（ｉ）訂正ａ参照）
（２）異議申立ての理由の概要
　特許異議申立人本間幹雄は、証拠として甲第１号証および甲第２号証を提出し、訂正前の請求項１に記載の発明は、甲第１号証および甲第２号証に記載された発明より容易に発明をすることができたものであり、特許法第２９条第２項の規定により、特許を受けることができないのものであるから、本件発明の特許を取り消すべき旨主張している。
（３）甲各号証記載の発明
 甲各号証には、下記の事項が図面と共に記載されている。　
（ｉ）甲第１号証（特願平１−２９０８５号（特開平２−１２１０７６号）のマイクロフィルム
「前面が開放すると共に遊技部と画成可能な大入賞口に、駆動源の駆動により作動する球受部材を臨ませて、球受部材により遊技部と大入賞口とが画成する第１状態と、遊技部と大入賞口とが連通する第２状態とに変換可能にすると共に、上記大入賞口に特別の利益状態を創成可能な特別入賞口と普通入賞になる一般入賞口とを設けたパチンコ機の入賞装置において、大入賞口内に、作動源の作動により回転方向を逆転可能な回転体を有する回転振分手段を設け、上記回転体の回転方向の相違により特別入賞口の入賞率を変動可能としたことを特徴とするパチンコ機の入賞装置。」（実用新案登録請求の範囲）、
「ガイドレールで囲まれた遊技部と画成可能な大入賞口に、駆動源の駆動により作動する球受部材を臨ませて、上記球受部材により上記遊技部と大入賞口とが画成し、遊技部を流下する球が大入賞口に流入できない第１状態と、遊技部と大入賞口とが連通して遊技部を流下する球が大入賞口に容易に流入可能な第２状態とに変換可能とし」（第２頁第１０〜１７行）。
　上記の記載および図面からみて甲第１号証に記載された発明は以下のとおりのものであると認められる。（以下、「甲第１号証の発明」という。）
「遊技部を流下する球が大入賞口に容易に流入可能な第２状態と遊技部を流下する球が大入賞口に流入できない第１状態とに変換可能な球受部材と、球受部材により流下する球が流入する大入賞口と、大入賞口流下する球が入ったときに大入賞口に特別の利益状態を創成可能な特別入賞口と、を備えた入賞装置において、大入賞口にその回転方向により特別入賞口への球の入賞率を可変可能に変動可能とする回転体を有する回転振分手段を設けたパチンコ機の可変入賞球装置。」
（ｉｉ）甲第２号証（特開昭６３−２１６５８８号公報）
「上部振分部材４２は、中央に上部連通部通過球誘導樋５６が形成されており、第４図，第５図または第６図に示すように、上部モータ５８からの駆動力がその出力軸５９に固定された上部回転カム６０に伝わり、そのカム６０に突設された突起６２から係合部６４に伝達され、ピン６６を中心に左右に揺動するよう構成されている。」（第２頁右下欄第９〜１５行）、
「以上の構造より、上部連通部７８を通って上部連通部通過球誘導樋５６内に落下してきたパチンコ球３６は、上部連通部通過球誘導樋５６が第６図に示すように、中央に向かっているときはパチンコ球３６が特定通過領域４４に転入しやすくなり、また、第７図および第８図に示すように、左（または右）に向いているときは一般遊技領域排出樋４６ａ，４６ｂに転入しやすくなる。」（第３頁左上欄第２〜１０行）。
（４）対比・判断
　本件発明と甲第１号証の発明とを対比すると、甲第１号証の発明における、
「遊技部を流下する球が大入賞口に容易に流入可能な第２状態」、「遊技部を流下する球が大入賞口に流入できない第１状態」、「球受部材」、「大入賞口」、「大入賞口に特別の利益状態を創成可能」、「特別入賞口」、「入賞装置」、「特別入賞口への球の入賞率を可変可能に変動可能」、「回転体を有する回転振分手段」、および、「パチンコ機」は、
　本件発明の
「遊技者にとって有利な第１の状態」、「遊技者にとって不利な第２の状態」、「玉受部材」、「入賞空間」、「遊技者に対して特別の遊技価値を付与する」、「特定入賞領域」、「可変入賞球装置」、「特定入賞領域への入賞玉の誘導を有利にする方向と不利にする方向とに回転制御」、「回転体」、および、「弾球遊技機」にそれぞれ相当するから、
　両者は、
「遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御される回転体を設けた弾球遊技機の可変入賞球装置。」である点で一致するが、
　本件発明では、回転体が「その上面が傾斜状に形成されることにより特定入賞領域方向に向かって下り傾斜する状態と特定入賞領域方向と反対の方向に向かって下り傾斜する状態となることが可能な」ものであるのに対し、甲第１号証の発明は、そのように構成されていない点で相違する。
　そして、上記相違点に係る構成は甲第２号証にも記載されておらず、また、従来周知の技術であったとも認められない。
　そして、本件発明は上記構成により「回転体により入賞玉が複数の方向に移動して従来にない入賞玉の流路変更を楽しむことができ、また、変更される方向によって特定入賞領域に誘導される可能性が異なるため、入賞玉の流路変更に遊技者の注意を集中させることができる。」（段落【００５１】）という、顕著な効果を奏するものである。
　したがって、本件発明が甲第１号証および甲第２号証の発明から容易に想到し得たものであるとすることはできない。
　
４．むすび
　以上のとおりであるから、特許異議申立ての理由及び証拠方法によっては、本件発明についての特許を取り消すことはできない。
　また、他に本件発明の特許を取り消すべき理由を発見しない。
　よって、結論のとおり決定する。
【異議決定日】
平成１４年５月２２日（２００２．５．２２）
【訂正の要旨】
訂正の要旨
　特許第３１８１０７９号発明の明細書中特許請求の範囲の請求項１を
「【請求項１】遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御されると共にその上面が傾斜状に形成される回転体を設けたことを特徴とする弾球遊技機の可変入賞球装置。」
とあるのを、特許請求の範囲の減縮を目的として
「【請求項１】遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御されると共にその上面が傾斜状に形成されることにより前記特定入賞領域方向に向かって下り傾斜する状態と前記特定入賞領域方向と反対の方向に向かって下り傾斜する状態となることが可能な回転体を設けたことを特徴とする弾球遊技機の可変入賞球装置。」と訂正する。
　特許第３１８１０７９号発明の明細書の記載を平成１４年５月７日付け訂正明細書のとおり、すなわち、明りょうでない記載の釈明を目的として、明細書原本における、段落【０００４】を下記のとおりに訂正。
「【０００４】【課題を解決するための手段】上記した目的を達成するために、本発明においては、遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御されると共にその上面が傾斜状に形成される回転体を設けたことを特徴とするものである。」を、
「【０００４】【課題を解決するための手段】上記した目的を達成するために、本発明においては、遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、前記入賞空間に、その回転方向により前記特定入賞領域への入賞玉の誘導を有利にする方向と不利にする方向とに回転制御されると共にその上面が傾斜状に形成されることにより前記特定入賞領域方向に向かって下り傾斜する状態と前記特定入賞領域方向と反対の方向に向かって下り傾斜する状態となることが可能な回転体を設けたことを特徴とするものである。」と訂正。
　特許第３１８１０７９号発明の明細書の記載を平成１４年５月７日付け訂正明細書のとおり、すなわち、明りょうでない記載の釈明を目的として、明細書原本における、段落【００２４】を削除する。
特許第３１８１０７９号発明の明細書の記載を平成１４年５月７日付け訂正明細書のとおり、すなわち、明りょうでない記載の釈明を目的として、明細書原本における、段落【００１７】を下記のとおりに訂正。
「【００５１】【発明の効果】以上、説明したところから明らかなように、本発明においては、その回転方向により特定入賞領域への入賞玉の誘導を有利にする方向と不利にする方向とに回転制御されると共にその上面が傾斜状に形成される回転体を入賞空間内に設けたので、回転体により入賞玉が複数の方向に移動して従来にない入賞玉の流路変更を楽しむことができ、また、変更される方向によって特定入賞領域に誘導される可能性が異なるため、入賞玉の流路変更に遊技者の注意を集中させることができる。」を、
「【００５１】【発明の効果】以上、説明したところから明らかなように、本発明においては、その回転方向により特定入賞領域への入賞玉の誘導を有利にする方向と不利にする方向とに回転制御されると共にその上面が傾斜状に形成されることにより前記特定入賞領域方向に向かって下り傾斜する状態と前記特定入賞領域方向と反対の方向に向かって下り傾斜する状態となることが可能な回転体を入賞空間内に設けたので、回転体により入賞玉が複数の方向に移動して従来にない入賞玉の流路変更を楽しむことができ、また、変更される方向によって特定入賞領域に誘導される可能性が異なるため、入賞玉の流路変更に遊技者の注意を集中させることができる。」と訂正。
（５４）【発明の名称】
弾球遊技機の可変入賞球装置
（５７）【特許請求の範囲】
　【請求項１】　遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、
　前記入賞空間に、その回転方向により前記特定入賞領域への入賞玉の誘導を有利にする方向と不利にする方向とに回転制御されると共にその上面が傾斜状に形成される
ことにより前記特定入賞領域方向に向かって下り傾斜する状態と前記特定入賞領域方向と反対の方向に向かって下り傾斜する状態となることが可能な
【発明の詳細な説明】
　【０００１】
　【産業上の利用分野】
　本発明は、遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた弾球遊技機の可変入賞球装置に関するものである。
　【０００２】
　【従来の技術】
　従来、玉受部材が遊技者にとって有利な開放した状態のときに受け入れられた入賞玉が入賞空間内を落下して、たまたま特定入賞領域に誘導されたときに、遊技者に対して大きな遊技価値、例えば、短時間に多量の入賞玉を獲得できるチャンスを付与できるようにした可変入賞球装置が数多く提案されている。このような可変入賞球装置においては、特定入賞領域への入賞玉の誘導を複雑化するために入賞空間内に振分部材、流路変更部材、貯留部材等を設けていた。
　【０００３】
　【発明が解決しようとする課題】
　上記した入賞空間内に設けられる部材のうち、振分部材や流路変更部材は、ほとんどが入賞玉の流路を所定の一方向にだけ変化させるものであるため、入賞玉の流路変更が乏しいという問題があった。本発明は、上記した問題点に鑑みなされたもので、その目的とするところは、入賞空間に受け入れられた入賞玉の流路を１つの部材で複数方向に変更することが可能な弾球遊技機の可変入賞球装置を提供することにある。
　【０００４】
　【課題を解決するための手段】
　上記した目的を達成するために、本発明においては、
　遊技者にとって有利な第１の状態と遊技者にとって不利な第２の状態とに変化可能な玉受部材と、該玉受部材によって受け入れられた入賞玉が落下する入賞空間と、該入賞空間を落下する入賞玉が入ったときに遊技者に対して特別の遊技価値を付与する特定入賞領域と、を備えた可変入賞球装置において、
　前記入賞空間に、その回転方向により前記特定入賞領域への入賞玉の誘導を有利にする方向と不利にする方向とに回転制御されると共にその上面が傾斜状に形成される
ことにより前記特定入賞領域方向に向かって下り傾斜する状態と前記特定入賞領域方向と反対の方向に向かって下り傾斜する状態となることが可能な
　【０００５】
　【作用】
　回転体の上面の傾斜面が特定入賞領域方向に向かって下り傾斜しているときに入賞玉が回転体上に到達したときには、その傾斜面に沿って入賞玉が転動するが、回転体の上面の傾斜面が特定入賞領域方向と反対の方向に向かって下り傾斜しているときに入賞玉が回転体上に到達したときには、入賞玉が回転体上に載置していずれかの方向に移動する。しかして、その回転方向が所定の方向であるときには、入賞玉が特定入賞領域に誘導される可能性が高く、また、逆方向に回転しているときには、特定入賞領域に誘導される可能性が低い。このように、本発明においては、回転体により入賞玉が複数の方向に移動するので、従来にない入賞玉の流路変更を楽しむことができ、また、変更される方向によって特定入賞領域に誘導される可能性が異なるため、入賞玉の流路変更に遊技者の注意を集中させることができる。
　【０００６】
　【実施例】
　以下、図面を参照して、本発明の実施例について説明する。まず、図１３及び図１４を参照して実施例に係る弾球遊技機の遊技盤１の構成について説明する。図１３は、遊技盤１の構成を示す正面図であり、図１４は、遊技盤１の背面の構成を示す背面図である。図において、遊技盤１の前面には、ほぼ円状に区画レール２が植立され、該区画レール２の内側が遊技領域３とされている。遊技領域３には、その中央に本実施例の要部に含まれる可変入賞球装置２０が配置されている。可変入賞球装置２０は、遊技者にとって有利なように打玉を受け入れる水平状態と遊技者にとって不利なように打玉を受け入れない起立状態とに変化可能な一対の玉受部材３０ａ，３０ｂと、該玉受部材３０ａ，３０ｂに受け入れられた入賞玉を流下させる入賞空間２７と、該入賞空間２７の最下方の一部に特定入賞玉検出器３８を内蔵する特定入賞領域としての特定入賞口３７と、が形成されている。なお、可変入賞球装置２０の詳細な構成については、後に詳述する。
　【０００７】
　また、遊技領域３の下方には、複数（３つ）の始動入賞口５、６ａ，６ｂが形成される始動入賞口装置４が配置されている。各始動入賞口５、６ａ，６ｂには、入賞した打玉を検出する始動入賞玉検出器７、８ａ，８ｂが内蔵されている。また、始動入賞口装置４の両サイド及び各入賞口間には、後述する始動入賞時や大当り遊技状態時に表示制御されるチャッカーランプ９が設けられている。
　【０００８】
　上記した始動入賞口５、６ａ，６ｂに打玉が入賞したときの遊技状態について説明すると、まず、打玉が中央の始動入賞口５に入賞すると前記可変入賞球装置２０の玉受部材３０ａ，３０ｂが２回開閉動作を行う。また、打玉が左右の始動入賞口６ａ，６ｂに入賞すると玉受部材３０ａ，３０ｂが１回開閉動作を行う。この開閉動作が行われている状態を始動入賞時と表現する。しかして、始動入賞時の開閉動作によって可変入賞球装置２０に受け入れられた入賞玉が特定入賞口３７に入賞して特定入賞玉検出器３８をＯＮさせると、特定遊技状態（一般的に大当り遊技状態といわれる）になる。
　【０００９】
　大当り遊技状態になると、玉受部材３０ａ，３０ｂが所定回数（例えば、１８回）開閉動作を行うか、又はその所定回数の開閉動作中に所定個数（例えば、９個）の入賞玉が発生するまでの開閉動作（以下、開閉サイクルという）を行うようになっている。そして、その開閉サイクル中に受け入れられた入賞玉が再度特定入賞口３７に導かれると、継続権が発生して当該回の開閉サイクルを直ちに停止して次回の開閉サイクルに移行する。このような開閉サイクルの繰り返しは、継続権が成立していることを条件として所定回数（例えば、１５回）行われるようになっている。このため、大当り遊技状態になると、短時間に多量の入賞玉を獲得することができる。なお、１回の開閉サイクル中に受け入れ可能な入賞玉を検出するために、図１４に示すように入賞玉検出器１９が遊技盤１の裏面に設けられている。
　【００１０】
　遊技領域３には、上記した可変入賞球装置２０や始動入賞口装置４の他に、入賞口１０ａ，１０ｂ、サイドランプ１２ａ，１２ｂ、アウト口１３、風車及び障害釘（共に符号なし）等が設けられている。入賞口１０ａ，１０ｂは、始動入賞口装置４の左右上部に配置され、その内部に袖ランプ１１ａ，１１ｂを内蔵している。この袖ランプ１１ａ，１１ｂは、遊技領域３の中央側端部に配置されるサイドランプ１２ａ，１２ｂと共に、始動入賞時や大当り遊技状態時に所定の態様で表示制御されるものである。また、このように表示制御されるランプ類として、遊技領域３の外周を囲むレール飾りランプ１４や弾球遊技機の前面上部に設けられる遊技効果ランプ１５（図示しない、ただし図５のブロック図参照）がある。また、遊技状態に応じた効果音を発生するために弾球遊技機の背面には、スピーカ１６（図示しない；図５のブロック図参照）が設けられている。上記したランプ類やスピーカ１６の表示動作については、後に詳述する。なお、前記アウト口１３は、遊技領域３の最下方に設けられ、入賞しなかったアウト玉を回収するようになっている。
　【００１１】
　一方、遊技盤１の裏面には、図１４に示すように、入賞玉集合カバー体１７が止着されている。この入賞玉集合カバー体１７は、可変入賞球装置２０に入賞した入賞玉や入賞口１０ａ，１０ｂに入賞した入賞玉を下方に誘導する誘導径路が形成されるものである。また、前記始動入賞口装置４の後面には、誘導板１８が止着されている。この誘導板１８には、その左右に後方に向けて開口する誘導口１８ａ，１８ｂが形成され、始動入賞口５、６ａ，６ｂに入賞した入賞玉を誘導口１８ａ，１８ｂから第２入賞玉集合空間（図示しない）に放出するようになっている。第２入賞玉集合空間に放出された入賞玉によって排出される景品玉数は、第１入賞玉集合空間（可変入賞球装置２０や入賞口１０ａ，１０ｂに入賞した入賞玉が落下する空間）に放出された入賞玉によって排出される景品玉数（例えば、１５個）よりも少ない数（例えば、７個）に設定されている。
　【００１２】
　以上、遊技盤１の構成について説明してきたが、次に図１乃至図４を参照して、本実施例の要部に含まれる可変入賞球装置２０の構成について説明する。可変入賞球装置２０は、図４に示すように、前記遊技盤１の表面に取り付けられる取付基板２１を有している。取付基板２１は、縦長な平板状の中央両側が側方に延設された板状に形成されていると共に、その上部及び左右両端の前面には、通常の入賞口２２〜２４が突設されている。また、取付基板２１の中央には、長方形状の入賞開口２５が開設され、該入賞開口２５の後方に周枠２６が突設されている。そして、その周枠２６に囲まれる領域が入賞空間２７を構成している。
　【００１３】
　また、取付基板２１の前面には、前記入賞開口２５の上部開口縁に沿って上部障害枠２８が突設され、該上部障害枠２８の前面に上部装飾板２９が固着されて前記入賞口２１の前方を装飾している。また、上部障害枠２８の両端下方に一対の玉受部材３０ａ，３０ｂが開閉自在に設けられている。この玉受部材３０ａ，３０ｂは、その下部に固着されて後方に延びる回動軸３１ａ，３１ｂを中心として回動する。回動軸３１ａ，３１ｂの回動運動は、図３に示すように、回動軸３１ａ，３１ｂの後端に固着されたリンク部材３２ａ，３２ｂ（ただし、３２ａは図示しない）と玉受部材ソレノイド３４ａ，３４ｂ（ただし、３４ａは図示しない）に連結された作動部材３３とによって、玉受部材ソレノイド３４ａ，３４ｂの上下運動を変換することにより行われるようになっている。
　【００１４】
　上記した玉受部材３０ａ，３０ｂの下方には、入賞開口２５の開口縁の下部左右縁及び下縁に沿って突設される入賞玉受枠３５が設けられる。入賞玉受枠３５の側方の取付基板２１部分は、透明板３６ａ，３６ｂで構成され、後述する装飾人形６２ａ，６２ｂが透視できるようになっている。なお、透明板３６ａ，３６ｂは、取付基板２１の中央左右に延設された部分に対応して設けられるものである。
　【００１５】
　更に、前記入賞玉受枠３５の下部中央には、図２に示すように特定入賞口３７が形成され、該特定入賞口３７に玉の通過を検出する特定入賞玉検出器３８が内蔵されている。また、特定入賞口３７の左右は、通常入賞口３９ａ，３９ｂとされる。なお、入賞玉受枠３５の前面には、下部装飾板４０が固着され、特定入賞口３７及び通常入賞口３９ａ，３９ｂの前方を覆っている。
　【００１６】
　上記したように入賞開口２５は、取付基板２１の前面に突設される上部障害枠２８、玉受部材３０ａ，３０ｂ、及び入賞玉受枠３５によって囲まれているため、遊技領域３を落下する打玉が通常の状態では入賞しないようになっている。しかし、玉受部材３０ａ，３０ｂが開成したときには、遊技領域３を落下する打玉が玉受部材３０ａ，３０ｂに受け止められて入賞開口２５の内側に誘導され、入賞空間２７に到達し、最終的に入賞玉となる。なお、玉受部材３０ａ，３０ｂが起立したときに打玉が全く入賞しない状態ではなく、玉受部材３０ａ，３０ｂと上部障害枠２８との間に打玉が通過する間隔を形成して入賞し難い状態としておいても良い。
　【００１７】
　入賞空間２７には、その上部に後方に向かって下り傾斜する上部玉転動板４１が横臥されている。上部玉転動板４１には、流下する入賞玉を中央部分に寄せる誘導突片４２ａ，４２ｂが突設されている。また、上部玉転動板４１の後端には、可動水平板４３が設けられ、該可動水平板４３の後方中央に中央通路４９が形成され、該中央通路４９の左右に落下口４８ａ，４８ｂ（ただし、４８ｂは、図示しない）が形成されている。しかして、前記玉受部材３０ａ，３０ｂによって受け入れられた入賞玉は、すべて上部玉転動板４１を流下して可動水平板４３上に乗り、可動水平板４３を通過して中央通路４９か落下口４８ａ，４８ｂのいずれかに誘導される。
　【００１８】
　上記した可動水平板４３は、中央部分から左右に向けて緩やかな傾斜状に形成されているが、上部玉転動板４１の誘導突片４２ａ，４２ｂによって誘導された入賞玉の多くは、そのまま可動水平板４３を横切って中央通路４９に入り、一部の極めて勢いの弱い入賞玉が可動水平板４３の傾斜面に沿って落下口４８ａ，４８ｂに至り、後述する回転体５３の両側部に落下する。なお、このような入賞玉の挙動は、可動水平板４３の次に説明する下降位置でも上昇位置でもほとんど同じである。
　【００１９】
　ところで、可動水平板４３は、前記中央通路４９の上部に位置する装飾部材４４（みこしの意匠が付与されている）と連結部材４５によって連結されており、また、図３に示すように、装飾部材４４の後面に固着される作動片４６に上下ソレノイド４７ａ，４７ｂが連結されている。したがって、上下ソレノイド４７ａ，４７ｂのＯＮ・ＯＦＦに連動して装飾部材４４及び可動水平板４３が上下動することになる。具体的には、上下ソレノイド４７ａ，４７ｂがＯＦＦのときには、図４に示すように、可動水平板４３が下降した位置にあって上部玉転動板４１との間に段差（ただし、入賞玉が前方に通過できる程の段差ではない）が生じているが、上下ソレノイド４７ａ，４７ｂがＯＮしたときには、図２に示すように、上部玉転動板４１とほぼ同一レベルとなる位置まで上昇する。なお、可動水平板４３の左右両端は、周枠４６の側壁を貫通して前記装飾人形６２ａ，６２ｂ（お祭のはっぴを着た人形の意匠が付与されている）に連結されているので、上下水平板４３の上下動に連動して装飾人形６２ａ，６２ｂも可動するようになっている。つまり、装飾人形６２ａ，６２ｂと可動水平板４３と装飾部材４４とで与えられる全体の意匠としては、人形がみこしを担いで上下動させている構図となっている。また、上下ソレノイド４７ａ，４７ｂは、通常の遊技状態において、定期的にＯＮするように制御されるが、始動入賞時及び開閉サイクル時には、異なる態様で駆動制御される。
　【００２０】
　また、前記中央通路４９は、玉が２列に整列する横巾を有するようになっていると共に、その末端は、下方に向かって開放しており、後述する回転体５３の後部中央に向かって入賞玉を放出するようになっている。ただし、中央通路４９の末端部には、貯留ソレノイド５１によって回動する一時停止板５０が設けられ、貯留ソレノイド５１がＯＮのときに、図１に示すように、中央通路４９の末端部を閉塞して中央通路４９上に所定個数（図示の場合には、４個）の入賞玉を貯留し、貯留ソレノイド５１がＯＦＦのときには、その閉塞状態を解除して中央通路４９上に貯留されていた入賞玉を開放して回転体５３上に放出する。なお、本実施例において、貯留ソレノイド５１の駆動は、大当り遊技状態における開閉サイクル中にのみ行われる。
　【００２１】
　上記した落下口４８ａ，４８ｂ及び中央通路４９を通過した入賞玉は、入賞空間２７の底面を構成する底面板５２上に設けられる円盤状の回転体５３に放出される。回転体５３は、その上面が傾斜状に形成されると共に装飾シール５４が貼付されている。回転体５３の回転軸５５は、底面板５２を貫通しており、その下端に歯車５６が止着されている。該歯車５６には、モータ５８のモータ軸に止着される歯車５７が噛合している。したがって、モータ５８の回転に従動して回転体５３が回転することになる。また、前記周枠２６の一側下部には、回転体５３の一方向への回転（本実施例においては、矢印Ａの右回り）によって移動してくる入賞玉と当接して該入賞玉を特定入賞口３７に誘導し易くする誘導片５９（図１及び図４参照）が内側に向かって突設されている。一方、回転体５３が誘導片５９が突設されていない方向に回転（本実施例においては、矢印Ｂの左回り）することにより、回転体５３によって移動される入賞玉は、特定入賞口３７に誘導される可能性が低くなる。
　【００２２】
　上記した回転体５３の動作について簡単に説明する。通常の遊技状態において、前記モータ５８は、回転体５３が一定時間（例えば、３秒）毎に、停止時間を間に入れて右回りと左回りとを交互に行うように駆動制御されている。ところが、始動入賞時には、その始動入賞信号が導出された直後から一定時間が経過するまで、左回りを行い、その後、上記した通常の遊技状態と同じ態様で駆動制御される。更に、大当り遊技状態における開閉サイクル中には、継続信号が導出された直後から玉受部材３０ａ，３０ｂの所定回数（例えば、１５回）の開閉動作が終了するまで又は所定個数（例えば、３個）の入賞玉が発生するまで左回りを行い、その後、右回りに変更される。このように、本実施例においては、１つの回転体５３で入賞玉を２種類の方向に移動させることができると共に、予め定められた所定の方向に回転したときには、大当り遊技状態とすることができるので、入賞玉の流路を変更する回転体５３に遊技者の注意が集中する。
　【００２３】
　また、本実施例における回転体５３は、上記した回転方向だけでなく、その上面が傾斜状に形成されているため、それによっても入賞玉により複雑な流路の変更を生ぜしめることができる。例えば、傾斜面が入賞空間２７の後方に向かって下り傾斜しているときに入賞玉が回転体５３上に到達したときには、入賞玉は、回転体５３の傾斜底部に一時的に停留載置した状態となるが、回転体５３の回転によってその回転方向に移動する。したがって、右回りの回転のときには、誘導片５９に当接して特定入賞口３７に誘導される可能性が高まり、逆に、左回りの回転のときには、特定入賞口３７に誘導され難い。一方、傾斜面が入賞空間２７の前方、即ち、特定入賞口３７に向かって下り傾斜しているときに入賞玉が回転体５３上に到達したときには、回転体５３の回転により移動される力よりも傾斜面による転動力の方が勝る場合が多く、そのような場合には、到達した侵入角度等のいろいろな要因にもよるが、いずれにしても回転移動するよりも直線的に流下移動する形態をとって特定入賞口３７又は通常入賞口３９ａ，３９ｂのいずれかに誘導される。
　【００２４】
　【００２５】
　可変入賞球装置２０の概の構成は、以上のとおりであるが、これ以外にも可変入賞球装置２０には、情報表示用の表示器、及び装飾用のランプやＬＥＤが多数設けられている。これらについて図４を参照しながら簡単に説明すると、入賞空間２７の後面壁左右には、開閉サイクルの継続回数を表示する回数表示ＬＥＤ６０と、１回の開閉サイクル中に玉受部材３０ａ，３０ｂに受け入れられた入賞個数を表示する個数表示ＬＥＤ６１が設けられている。また、入賞空間２７の後面壁の上部及び入賞口２３、２４の下部を照明するために役物ランプ６４と飾りＬＥＤ６５（以下、飾りＬＥＤ−Ａという）が設けられ、前記装飾人形６２ａ，６２ｂの後面上部を装飾する飾りＬＥＤ６６（以下、飾りＬＥＤ−Ｂという）が設けられ、前記回転体５３の後方を装飾する飾りＬＥＤ６７（以下、飾りＬＥＤ−Ｃという）が設けられている。なお、上記したランプやＬＥＤを含め可変入賞球装置２０に設けられるすべての電気的部品は、図３に示す、端子板６３に集約して接続されている。
　【００２６】
　以上、可変入賞球装置２０を含む弾球遊技機の遊技盤１の構成について説明してきたが、それらの遊技装置は、図５に示す遊技制御回路によって制御される。図５は、遊技制御回路をブロック構成で示す回路図であり、ＭＰＵ、ＲＯＭ、ＲＡＭ、入出力回路を含む基本回路７０によって制御される。しかして、基本回路７０は、スイッチ回路７１を介して始動入賞玉検出器７、８ａ，８ｂ、特定入賞玉検出器３８、及び入賞玉検出器１９からの検出信号が入力され、アドレスデコード回路７２から基本回路７０及びスイッチ回路７１にチップセレクト信号が与えられる。また、電源投入時に初期リセット回路７３から基本回路７０にリセット信号が与えられ、所定時間毎に定期リセット回路７４から基本回路７０に定期リセット信号が与えられる。
　【００２７】
　一方、基本回路７０からは、以下の装置及び回路に制御信号が与えられる。即ち、音回路７５を介してスピーカ１６に音声信号が与えられ、大当り信号を導出する大当り情報出力回路７６に駆動信号を出力している。また、ＬＥＤ回路７７を介して個数表示ＬＥＤ６１、回数表示ＬＥＤ６０、及び飾りＬＥＤ−Ａ〜Ｃに表示制御信号が与えられ、ソレノイド回路７８を介して玉受部材ソレノイド３４ａ，３４ｂ、上下ソレノイド４７ａ，４７ｂ、及び停留ソレノイド５１に駆動信号が与えられ、モータ回路７９を介してモータ５８に駆動信号が与えられる。更に、ランプ制御回路８０を介してチャッカーランプ９、袖ランプ１１ａ，１１ｂ、サイドランプ１２ａ，１２ｂ、レール飾りランプ１４、遊技効果ランプ１５、及び役物ランプ６４に表示制御信号が送られる。なお、上記した装置や回路には、電源回路８１から各種の電圧を有する電力が供給されている。
　【００２８】
　次に、以上説明した可変入賞球装置２０の動作について図６乃至図１２を参照して説明する。まず、図６及び図７を参照して、始動入賞時の可変入賞球装置２０の動作について説明する。図６は、１回開き時の動作を示すタイムチャートであり、図７は、２回開き時の動作を示すタイムチャートである。
　【００２９】
　図６において、始動入賞口６ａ，６ｂのいずれかに打玉が入賞して始動入賞玉検出器８ａ，８ｂから始動信号Ｓ１を導出すると、その導出時から所定時間（１．５００秒）遅れて玉受部材３０ａ，３０ｂが短い時間（０．５００秒）開放する。また、玉受部材３０ａ，３０ｂの開閉と同時に可動水平板４３（みこしと表示）が短い時間間隔（０．３００秒）の上昇を２回行う。なお、このみこし４３は、所定時間が経過すると、一定の時間間隔を空けて１回の上昇を定期的に行う通常の遊技状態に戻る。また、始動信号Ｓ１があった後から玉受部材３０ａ，３０ｂが閉じるまでの期間（図６中のアスタリスクが付されている期間）は、始動受付禁止期間とされる。この始動受付禁止期間は、その期間内にいずれの始動入賞口５、６ａ，６ｂに入賞した打玉も始動入賞としての機能を無効とされるものである。
　【００３０】
　なお、図示のタイムチャートでは、玉受部材３０ａ，３０ｂが閉じた後でも、入賞空間２７を流下する入賞玉が特定入賞口３７に到達するまで時間がかかるので、玉受部材３０ａ，３０ｂの閉成後一定時間（３．５００秒）の役物連続作動装置作動有効時間を認めている。役物連続作動装置有効時間は、玉受部材３０ａ，３０ｂの閉じる間際に入賞した入賞玉が特定入賞口３７に入賞することもあるので、その入賞を有効と認定するために設定される猶予時間である。
　【００３１】
　また、始動信号Ｓ１が導出されてから一定時間（５．５００秒）が経過するまで、回転体５３が左回りに駆動制御される。これにより、玉受部材３０ａ，３０ｂの１回の開放により受け入れられた入賞玉がある場合であって、回転体５３に放出された入賞玉は、特定入賞口３７に誘導され難いものとなるが、本実施例にける回転体５３は、前記したように、その上面が傾斜しているので、放出時の傾斜面とのタイミングによっては、左回りであっても特定入賞口３７に誘導される可能性がある。なお、上記した一定時間が経過すると、回転体５３は、右回り、停止、左回り、停止、右回り、・・・の通常の駆動態様に戻る。
　【００３２】
　次に、図７において、始動入賞口５に打玉が入賞して始動入賞玉検出器７から始動信号Ｓ２を導出すると、所定時間（１．５００秒）遅れて玉受部材３０ａ，３０ｂが微小時間（０．９００秒）の間隔をおいて短い時間（０．５００秒）の開放を２回行う。そして、始動信号Ｓ２があった後から２回の玉受部材３０ａ，３０ｂの開放が終了するまでの時間は、始動受付禁止期間とされる。また、この２回開き始動において玉受部材３０ａ，３０ｂの開放時間と開放回数とが１回開き始動に比較して多いので、入賞玉が可変入賞球装置２０に受け入れられ易い。また、図７においても、玉受部材３０ａ，３０ｂの閉成後一定時間（３．５００秒）の役物連続作動装置作動有効時間が認められている。
　【００３３】
　また、１回開き時とほぼ同様に、みこし４３も複数回（３回）上昇し、始動信号Ｓ２が導出されてから一定時間（６．９００秒）が経過するまで、回転体５３が左回りに駆動制御される。したがって、この場合にも回転体５３に放出された入賞玉は、特定入賞口３７に誘導され難いものとなるが、上記と同様の理由で特定入賞口３７に誘導される場合がある。
　【００３４】
　次に、図８乃至図１０を参照して開閉サイクル時の動作について説明する。図８は、開閉サイクルの基本的なタイミング動作を示し、図９は、各開閉サイクルの１８回の開閉動作の途中で継続信号が発生したときの継続時のタイミング動作を示し、図１０は、最終回の開閉サイクルのタイミング動作を示す。なお、図中役物連続作動装置は、特定入賞玉検出器３８を示す。
　【００３５】
　まず、開閉サイクルにおける基本的な動作を図８に基づいて説明する。役物連続作動装置３８が作動して継続信号Ｒｎ（１≦ｎ≦１４）が導出されると、その継続信号Ｒｎから一定時間（４．５００秒）遅れて玉受部材３０ａ，３０ｂが開閉サイクルを開始する。この開閉サイクルにおいては、開放時間と閉成時間とが０．８００秒間隔で行われる。また、開閉サイクルの終了条件に達したときには、前記と同様に役物連続作動装置作動有効時間（３．５００秒）が設定されている。もちろん、最終回の開閉サイクルにおいては、この役物連続作動装置作動有効時間の設定は、行われない。また、玉受部材３０ａ，３０ｂの開閉動作が開始されると同時に、みこし４３も０．４００秒間隔で上下動を開始し、１８回の開閉動作が終了するまで継続される。更に、一時停止板５０も貯留状態となる。
　【００３６】
　また、継続信号Ｒ１の導出と同時に、回転体５３は、左回りに駆動制御される。そして、そのような左回り制御は、玉受部材３０ａ，３０ｂが所定回数（１５回）の開閉動作を行うか、又は入賞玉検出器１９が所定個数（３個）の入賞玉を検出するまで継続される。また、一時停止板５０の貯留状態も、上記条件が成立するまで行われる。しかして、上記条件が成立したときには、一時停止板５０の貯留条件が解除され、回転体５３の回転も右回りに変更制御される。そして、貯留解除された入賞玉が回転体５３の右回りによって移動することになる。
　【００３７】
　そこで、貯留解除された入賞玉が回転体５３の回転により特定入賞口３７に誘導された場合の開閉サイクルの動作を図９に基づいて説明する。役物連続作動装置３９が作動して継続信号Ｒｎ（１≦ｎ≦１４）が導出された場合の開閉サイクルの動作は、図８の場合と全く同じである。しかして、上記した条件が成立して一時停止板５０の貯留状態が解除されると共に、回転体５３が右回りに変更されたときに、その貯留解除された入賞玉が右回りしている回転体５３によって移動され、誘導片５９に当接して特定入賞口３７に誘導される可能性が極めて高い。そして、そのような経過をたどって継続信号Ｒｎ＋１が導出されると、玉受部材３０ａ，３０ｂの開閉動作及びみこし４３の上下動が直ちに停止されると共に、回転体５３が左回りとなるように駆動制御される。これは、１個の入賞玉が特定入賞口３７に誘導されれば、継続権が成立し、残りの入賞玉を特定入賞口３７に誘導する必要がないからである。このため、回転体５３を不利な方向である左回りに制御するものである。なお、図９の場合には、貯留解除された入賞玉が特定入賞口３７に誘導された場合を述べたが、貯留解除される前に入賞玉が特定入賞口３７に誘導されたときにも、回転体５３は、同じ動作を行う。
　【００３８】
　次に、最終回の開閉サイクルの動作について図１０を参照して説明する。図において、１４回目の開閉サイクルの途中（１１回目の開閉動作の終了時）に入賞玉が特定入賞口３７に入賞して継続信号Ｒ１５を導出すると同時に一時停止板５０が貯留状態を解除する。このとき、回転体５３は、従前とは異なり右回りに変更されることなく、左回りを維持する。以下、継続信号Ｒ１５の導出後、図８に示した動作と同様に、一定時間（４．５００秒）経過後に玉受部材３０ａ，３０ｂの開閉動作、みこし４３の上下動作、及び一時停止板５０の貯留動作が開始される。
　【００３９】
　次に、図１１及び図１２参照して、各遊技状態に応じて表示されるランプやＬＥＤ、スピーカの動作について説明する。図中丸印は、点灯状態を示し、丸印の中にバツがある表示は、１／２周期で点滅表示することを示す。
　【００４０】
　まず、電源を投入した通常の遊技状態では、可変入賞球装置２０に設けられる飾りＬＥＤ−Ａが３８４ｍｓのＯＦＦと４００ｍｓのＯＮと１２１６ｍｓのＯＦＦとによる点滅動作を行い、飾りＬＥＤ−Ｂと飾りＬＥＤ−Ｃが２ｓ周期でそれぞれ点灯移動する。また、回数表示ＬＥＤ６０と個数表示ＬＥＤ６１は、共に０を点灯表示している。また、効果音は、発声されていない。
　【００４１】
　次に、打玉がいずれかの始動入賞口５、６ａ，６ｂに入賞したときには、チャッカーランプ９とサイドランプ１２ａ，１２ｂの組と、役物ランプ６４と袖ランプ１１ａ，１１ｂの組とが１００ｍｓで交互に点滅し、飾りＬＥＤ−Ａが役物ランプ６４と同期して点滅動作する。また、飾りＬＥＤ−Ｂと飾りＬＥＤ−Ｃとの点灯移動速度が３６０ｍｓの速い周期となる。また、回数表示ＬＥＤ６０と個数表示ＬＥＤ６１は、共に「０」と「−」とを交互に２００ｍｓの周期で表示している。更に、スピーカ１６からは、１回開き始動入賞のときに効果音Ａが発声され、２回開き始動入賞のときに効果音Ｂが発声される。
　【００４２】
　次に、大当り遊技状態の終了時においては、一定時間（３．５ｓ）の間、遊技効果ランプ１５、レール飾りランプ１４、及び飾りＬＥＤ−Ａが３００ｍｓのＯＮと３００ｍｓのＯＦＦと３００ｍｓのＯＮと３００ｍｓのＯＦＦとによる点滅動作を行い、チャッカーランプ９と袖ランプ１１ａ，１１ｂとが位相をずらした６００ｍｓのＯＦＦと３００ｍｓのＯＮと３００ｍｓのＯＦＦとによる点滅動作を行い、役物ランプ６４とサイドランプ１２ａ，１２ｂとが交互に９００ｍｓのＯＦＦと３００ｍｓのＯＮとによる点滅動作を行う。また、飾りＬＥＤ−Ｂ及び飾りＬＥＤ−Ｃは、点灯したままの状態となっている。また、効果音Ｇも発声される。
　【００４３】
　また、可変入賞球装置２０を含む遊技装置に異常が発生したときには、サイドランプ１２ａ，１２ｂが点灯状態となり、飾りＬＥＤ−Ａ〜Ｃ、回数表示ＬＥＤ６０、及び個数表示ＬＥＤ６１が異常発生前の状態を保持し、効果音Ｈが発声される。これにより、例えば、回数表示ＬＥＤ６０や個数表示ＬＥＤ６１を見ることにより異常発生時の遊技状態を知ることができる。
　【００４４】
　次に、大当り遊技状態時においては、役物連続作動装置作動時から玉受部材３０ａ，３０ｂの開放するまでの第１段階と、玉受部材３０ａ，３０ｂの開放中の前半である３個入賞又は１５回開放時までの第２段階と、玉受部材３０ａ，３０ｂの開放中の後半である３個入賞又は１５回開放時以降までの第３段階と、最終回の開閉サイクルと、とに分けてランプ、ＬＥＤ、効果音が駆動される。
　【００４５】
　まず、第１段階においては、遊技効果ランプ１５、チャッカーランプ９、サイドランプ１２ａ，１２ｂの組と、レール飾りランプ１４、役物ランプ６４、袖ランプ１１ａ，１１ｂの組とが交互に８０ｍｓ間隔で点滅し、飾りＬＥＤ−Ａが４０ｍｓ間隔で点滅する。また、飾りＬＥＤ−Ｂ，Ｃは、１２８ｍｓの周期で点灯移動し、回数表示ＬＥＤ６０と個数表示ＬＥＤ６１とは、７セグメントの各セグメントが２８８ｍｓの周期で順次点灯移動する。また、スピーカ１６からは、効果音Ｃが発声される。
　【００４６】
　第２段階においては、遊技効果ランプ１５及び役物ランプ６４が２００ｍｓ間隔で点滅し、レール飾りランプ１４及びチャッカーランプ９がＯＮ２００ｍｓ・ＯＦＦ６００ｍｓ間隔での点滅動作を交互に行い、袖ランプ１１ａ，１１ｂ及びサイドランプ１２ａ，１２ｂがＯＦＦ２００ｍｓ・ＯＮ２００ｍｓ・ＯＦＦ４００ｍｓ間隔での点滅動作を位相をずらして行う。また、飾りＬＥＤ−Ａは、点灯状態となり、飾りＬＥＤ−Ｂ，Ｃは、１．６ｓのゆっくりとした周期で点灯移動を行う。更に、回数表示ＬＥＤ６０及び個数表示ＬＥＤ６１は、それぞれ継続回数及び入賞個数を表示する。この場合、開閉サイクルの継続回数が１〜９回目までは、一の位を点灯表示し、１０回目以降は、十の位及び一の位を共に点灯表示する。また、第２段階においては、効果音Ｄが発声される。
　【００４７】
　次に、第３段階においては、第２段階と似たような表示動作で駆動制御されるが、全体に速く点滅表示されるようになっている。即ち、遊技効果ランプ１５及び役物ランプ６４が１２８ｍｓ間隔で点滅し、レール飾りランプ１４及びチャッカーランプ９がＯＮ１２８ｍｓ・ＯＦＦ３８４ｍｓ間隔での点滅動作を交互に行い、袖ランプ１１ａ，１１ｂ及びサイドランプ１２ａ，１２ｂがＯＦＦ２５６ｍｓ・ＯＮ１２８ｍｓ・ＯＦＦ１２８ｍｓ間隔での点滅動作を位相をずらして行う。また、飾りＬＥＤ−Ａは、１２８ｍｓの間隔で点滅動作し、飾りＬＥＤ−Ｂ，Ｃは、２００ｍｓの速い周期で点灯移動を行う。なお、回数表示ＬＥＤ６０及び個数表示ＬＥＤ６１は、第２段階と全く同じように表示制御される。また、第３段階においては、効果音Ｅが発声される。
　【００４８】
　また、最終回の開閉サイクルにおいては、遊技効果ランプ１４、サイドランプ１２ａ，１２ｂとレール飾りランプ１４とがＯＮ４００ｍｓ・ＯＦＦ４００ｍｓで交互に点滅動作を行い、チャッカーランプ９と役物ランプ６４、袖ランプ１１ａ，１１ｂ、飾りＬＥＤ−Ａとが２００ｍｓで交互に点滅動作を行い、飾りＬＥＤ−Ｂ，Ｃは、比較的ゆっくりとした０．８ｓの周期で点灯移動を行う。なお、回数表示ＬＥＤ６０及び個数表示ＬＥＤ６１は、第３段階と全く同じように表示制御される。また、最終回の開閉サイクルにおいては、効果音Ｆが発声される。
　【００４９】
　以上、実施例に係る可変入賞球装置２０の構成及び作用について説明してきたが、本実施例によれば、玉受部材３０ａ，３０ｂによって入賞空間２７内に受け入れられた入賞玉は、回転体５３上に載置していずれかの方向に移動し、その回転方向が所定の方向（右回り）であるときには、入賞玉が特定入賞口３７に誘導される可能性が高く、一方、逆方向に回転しているときには、特定入賞口３７に誘導される可能性が低い。このように、本実施例においては、回転体５３により入賞玉が複数の方向に移動するので、従来にない入賞玉の流路変更を楽しむことができ、また、変更される方向によって特定入賞口３７に誘導される可能性が異なるため、入賞玉の流路変更に遊技者の注意を集中させることができる。
　【００５０】
　なお、上記した実施例においては、回転体５３を水平方向に設置して回転するものを示したが、垂直方向に設置して回転するものであっても良い。また、前記したように回転体５３の上面の形態も必ずしも傾斜している必要はなく、任意の形態に設計しても良い。更に、回転体５３の左右方向の回転制御も実施例のものに限定されるものではなく、例えば、遊技状態に拘らず、ランダムに右回りと左回りとを切り替えるように制御しても良い。
　【００５１】
　【発明の効果】
　以上、説明したところから明らかなように、本発明においては、その回転方向により特定入賞領域への入賞玉の誘導を有利にする方向と不利にする方向とに回転制御されると共にその上面が傾斜状に形成される
ことにより前記特定入賞領域方向に向かって下り傾斜する状態と前記特定入賞領域方向と反対の方向に向かって下り傾斜する状態となることが可能な
【図面の簡単な説明】
　【図１】
　実施例に係る可変入賞球装置の内部構造を示す斜視図である。
　【図２】
　可変入賞球装置の一部を破断した斜視図である。
　【図３】
　可変入賞球装置の縦方向に切断した縦断面図である。
　【図４】
　可変入賞球装置の正面図である。
　【図５】
　遊技動作を制御する遊技制御回路を示すブロック図である。
　【図６】
　１回開き始動入賞時における可変入賞球装置の動作を示すタイムチャートである。
　【図７】
　２回開き始動入賞時における可変入賞球装置の動作を示すタイムチャートである。
　【図８】
　大当り遊技状態時における開閉サイクルの基本的な動作を示すタイムチャートである。
　【図９】
　大当り遊技状態時における開閉サイクルの継続時の動作を示すタイムチャートである。
　【図１０】
　大当り遊技状態時における最終回の開閉サイクルの動作を示すタイムチャートである。
　【図１１】
　各遊技状態におけるランプ、ＬＥＤ、スピーカの動作を示す一覧表図である。
　【図１２】
　各遊技状態におけるランプ、ＬＥＤ、スピーカの動作を示す一覧表図である。
　【図１３】
　可変入賞球装置が適用される弾球遊技機の遊技盤の構成を示す正面図である。
　【図１４】
　遊技盤の背面構造を示す背面図である。
　【符号の説明】
　２０　可変入賞球装置
　２７　入賞空間
　３０ａ，３０ｂ　玉受部材
　３７　特定入賞口（特定入賞領域）
　５３　回転体